(57)【要約】【課題】  従来の技術において、便座シートを用いて衛生的便所を提供する仕組みはあったが、設備未設置環境では利用できず、トイレットペーパーなどを便座上に敷き利用するか、衛生的な環境を諦めざるを得ず、利用者が常時便座シートを携帯して持ち歩くことができ、どこの便所でも衛生的な環境を得られる便座シートが求められた。  また、携帯用ティッシュペーパーなど以外で、広告宣伝媒体になり得るものが求められた。【解決手段】  既存洋式水洗便所の便座上に容易に配置して着座利用可能な大きさの水溶性素材に、Ｈ状穴あけ処理をなし、折り畳まれた便座シートを広げて洋式水洗便座の上に設置して利用し、使用後は排泄物と一緒に処理できることを特徴とする便座シートを、利用目的にあわせた形状で提供する。【選択図】図２
2007175455.tif 000002
【特許請求の範囲】
【請求項１】
利用後に排泄物と合わせて便器に流せる紙などの水溶性素材を利用して、既存洋式便所の便座外形形状を上回る大きさで提供され、便座穴に適合させたＨ状の切り込みを加え、Ｈ状切り込みの中心は便座穴の前後方向に切り、Ｈ状の切り込みの前方および後方は一般的な便座穴の幅より狭く切り、Ｈ状切り込み前方の外側とＨ状切り込み後方の端および内側を結ぶ線上を折り、便座シートを広げることでＨ状切り込み部分が立ち上がり、一般的な便座穴に合わせ込める構造としたことを特徴とする便座シート。
【請求項２】
請求項１に記載された便座シートに加え、既存便器のウォシュレットなどの機能障害にならない様にＨ状に切り残した部分の一部を切り取るとともに、便座シートの外形を前後非対称または左右非対称として、便座シートを広げる際に利用向きが判別し易い構造としたことを特徴とする便座シート。
【請求項３】
請求項１から２に記載された便座シートに加え、消臭、芳香、除菌、殺菌、洗浄などの効果を与える薬剤を付加したことを特徴とする便座シート。
【請求項４】
請求項１から３に記載された便座シートに加え、ミシン目などで容易に切り離せる構造を加え、連続させた状態でロール状に巻き取って個別に梱包して提供したことを特徴とする便座シート。
【請求項５】
請求項１から４に記載された便座シートに加え、便所内に置いても邪魔にならない大きさの便座シート収納箱に複数枚の便座シートを収め、芳香剤などの機能が発散し難くして提供したことを特徴とする便座シート。
【請求項６】
請求項１から５に記載された便座シートに加え、便座シートを携帯可能な形態に梱包したことを特徴とする便座シート。
【請求項７】
請求項１から６に記載された便座シートに加え、便座シートを携帯可能に梱包したものに広告宣伝を含めたことを特徴とする便座シート。
【発明の詳細な説明】
【技術分野】
【０００１】  本発明は、既存洋式便座着座時に便座部分の汚濁および汚染などから利用者を保護する目的で提供される便座シートを、利用者が常時携帯して利用可能し得る状態にするとともに、その便座シートを新たな広告媒体などとして提供することで、既存の便座シートでは提供者が環境維持費として新たに負担していた利用経費を、広告宣伝費から引き当てることも可能にしたものである。
【背景技術】
【０００２】  従来から、便座に臀部が直接接しないように便座に敷く便座シートはいくつか開発されているが、これらの殆どは互いに類似し、素材は、水洗トイレで流し去る必要があるために、水溶性あるいは水で細く砕けなければならないことから殆どが紙製である。【０００３】  便座シートを利用する際には、便座シートを一定の大きさに裁断する必要があり、携帯を可能にするためには、便座シートを折り畳み、セロファンなどで梱包して提供しているものがあるが、提供範囲は既存便座シートを梱包したものに限られており、折り込みに携帯可能な寸法にする目的以外の目的を持たせたものではなく、便座シートに配置する際にずれて、便座に臀部が接触する可能性があった。（実用新案公開平８−７）【０００４】  便座シートを提供する際に、位置ずれ防止のため便座シートの外部を折り畳む構造として提供するものもあるが、折り畳み位置が便座内でないため、着座時に位置がずれると効果が得られなかった。（特許公開平８−２２８９６２）【０００５】  便座シートの中央部分を、直線で切り取り、あるいは扇状に切り込み提供するものもあったが、現在の様に便座に様々な機能が便座にあると、排泄後に過剰な紙部分が臀部を汚す可能性があり、利用し難いものであった。（登録実用新案第３０１２８５９号、登録実用新案第３０７６２６４号）【０００６】  便座シートのずれを防止するため、便座シートの１面に粘着材をつけた便座シートがあるが、小さく折り畳んでしまうと粘着材同士が付着する可能性があり、非常に折り畳み難く、広げ難く、利用に慣れが必要であるとともに、粘着材を便座に固定する際に便座近くに顔が行くなど、利用環境に対する改善がなく、利用時に不快になる可能性があった。（実用新案公開平５−９１４９８、登録実用新案第３０４３０６８号、実用新案公開平５−２９４９７、特許公開平１０−２７６９３９、特開平０７−２３１８６２号、特開平０８−２１５１０９号、特開平０９−２３８８６８号、特開平１０−２７６９３９号、特開平１０−３１４０７１号、特開平１１−０１９００２号、特開平１１−１４６８４５号、特開平１１−３４６９５８号、特開２００１−１２８８９４号、特許公開２００３−６１８６６）【０００７】  便座設置時の滑りを防止するため、筒状の形状で提供し、便座シートにかぶせて使用するものがあるが、便座を使用する際に便座を立てる必要があり、利用者の手が不衛生になる可能性があった。（登録実用新案第３０４９４５０号）【０００８】  既存便座シートでは、便座シートを提供時から廃棄までの、総合的な利便さを提供しておらず、便座シートは提供された便所内のみで利用することを目的に提案されているため、広告宣伝媒体などになり得ないものであった。【０００９】  さらに、特定の便座シート環境を設置した者は、継続的に特定業者から便座シートを購入して供給せざるを得ず、この経費は、便所環境を維持するだけのために発生する、追加経費になるものである。
例えば、便座シート１枚が２０円と言われても、設備を残したままで利用を止め難いこともあり、便座シートシステムを設置した者は便座シートを購入しており、便座シートシステム導入に危機感を与えている事実があり、便座シート環境が一般から求められているにも拘らず、便座シート環境普及の妨げになっていた。
【発明の開示】
【発明が解決しようとする課題】
【００１０】  既存衛生便座装置は既存便座装置の改善を行い、衛生的な環境を提供するものであるため、利用者が設置された環境に行かなければ利用できず、突発する外出時の便意、尿意に対応することができず、外出先で便意などを催すとともに、最寄りの便所に入り、衛生的な便所環境が得られる便座シートが求められた。【００１１】  既存の便所に入った際には、悪臭などがある可能性が高いため、消臭効果、芳香効果などにより、臭い環境を改善するとともに、不潔な環境に対する除菌、殺菌効果などが求められた。【００１２】  便座シートを固定する環境がない便座に平らな便座シートを敷いた場合、便座シートが移動し易く、中心位置が取り難くなり、便座穴と便座シート穴が類似形状だと、便座シートが着座時にずれて、利用者の太腿、臀部と便座部分が直接接触する可能性があり、便座シートの穴を小さくしすぎると、シャワー洗浄機能、温風乾燥機能などの既存便座機能の障害になる可能性があり、これらの可能性に対する改善が求められた。【００１３】  便座の移動を防止するため、便座内の前または後に便座シートの一部を落とし込む構造にすると、既存便座機能に合わせて設置方向を合わせる必要があり、便座シートに排泄物がかかり、見た目が不潔になり、便座シートで排泄物が飛び散り利用者が汚れる可能性があり、汚れた便座シートを処理しなければならず、改善が求められた。【００１４】  既存便座の形状は様々なため、特定の便座に対応するものでなく、汎用的に既存便座に対応して、利用できる便座シートが求められた。【００１５】  便座シート環境を設置提供した場合、継続的に特定業者から便座シートを購入して供給せざるを得ず、この経費の発生を極力抑える事が求められた。
また、既存のティッシュペーパーなどの配布サービスに対して、一般の興味が薄くなっており、新たに経費が掛からず、広告媒体として配布対象となるものが求められた。
【課題を解決するための手段】
【００１６】請求項１の構成により、利用後に排泄物と合わせて便器に流せる紙などの水溶性素材を利用して、既存洋式便所の便座外形形状を上回る大きさで提供され、便座穴に適合させたＨ状の切り込みを加え、Ｈ状切り込みの中心は便座穴の前後方向に切り、Ｈ状の切り込みの前方および後方は一般的な便座穴の幅より狭く切り、Ｈ状切り込み前方の外側とＨ状切り込み後方の端および内側を結ぶ線上を折り、便座シートを広げることでＨ状切り込み部分が立ち上がり、一般的な便座穴に合わせ込める構造としたことを特徴とする便座シートを提供する。【００１７】  請求項２の構成により、請求項１に記載された便座シートに加え、既存便器のウォシュレットなどの機能障害にならない様にＨ状に切り残した部分の一部を切り取るとともに、便座シートの外形を前後非対称または左右非対称として、便座シートを広げる際に利用向きが判別し易い構造としたことを特徴とする便座シートを提供する。【００１８】  請求項３の構成により、請求項１から２に記載された便座シートに加え、消臭、芳香、除菌、殺菌、洗浄などの効果を与える薬剤を付加したことを特徴とする便座シートを提供する。【００１９】  請求項４の構成により、請求項１から３に記載された便座シートに加え、ミシン目などで容易に切り離せる構造を加え、連続させた状態でロール状に巻き取って個別に梱包して提供したことを特徴とする便座シートを提供する。【００２０】  請求項５の構成により、請求項１から４に記載された便座シートに加え、便所内に置いても邪魔にならない大きさの便座シート収納箱に複数枚の便座シートを収め、芳香剤などの機能が発散し難くして提供したことを特徴とする便座シートを提供する。【００２１】  請求項６の構成により、請求項１から５に記載された便座シートに加え、便座シートを携帯可能な形態に梱包したことを特徴とする便座シートを提供する。【００２２】  請求項７の構成により、請求項１から６に記載された便座シートに加え、便座シートを携帯可能に梱包したものに広告宣伝を含めたことを特徴とする便座シートを提供する。
【発明の効果】
【００２３】  請求項１記載の構成により、次の効果が得られた。
１．  便座シートは使い捨て品であるが、使用後には排泄物とともに水に流し、衛生的に      処分できた。
２．  便座シートの固定にパッドなどを必要とせず、利用素材の表面強度が求められない      ため、トイレットペーパーに代表される再生紙などが、そのまま利用できた。
３．  便座シート素材はトイレットペーパーなどに拘らず、キッチンペーパーなどの厚手      素材も利用可能なため、着座時の肌あたりを快適にすることができた。
４．  便座シート素材に、トイレットペーパー、キッチンペーパーなどに既に実施されて      いる、透かし模様、型押しなどの加工が、そのまま利用できた。
５．  便座シート素材に、水溶性の薄いシートなどで広げることができる素材を用いて、      排泄物の総量増加を防止し、電車、航空機などの閉ざされた環境下であっても、提      供環境の機能障害になることなく利用できた。
６．  便座シートは便座の大きさを上回る大きさであるが、普通に手で開ける大きさなの      で、折り畳まれていても容易に広げられた。
７．  便座シートを広げると、便座シートのＨ状切り残しが便座側に飛び出して便座シー      トの裏表が明らかになるため、表面だけを着座に適した状態にして生産コストを下      げられた。
８．  便座シートを広げると、便座シートのＨ状切り残しが便座側に飛び出すし、飛び出      した部分を便座穴に合わせておけば、便座シートがずれ落ちることはなく、容易に      着座できた。
９．  便座シートにＨ状切り残しがあるため、便座シートを便座に置く際に左右にずれて      便座に着座しても、利用者の太腿などが便座に接触しなった。
１０．便座シート上に着座した際、便座シート裏面および便座状にパッドなどの異物がな      いため、快適に着座できた。
１１．便座シートにＨ状切り残しがあるため、便座穴部分が便座シートより小さくとも、      便座をカバーすることができ、便座シートの汎用性が高まった。
１２．便座上に広げた便座シートは、そのまま着座して利用可能なＨ状の穴あけ処理がな      されているため、直ちに便座に着座して排泄できた。
１３．Ｈ状穴の前部および後部は、便座穴の淵近くで切り取られているため、排泄の障害      にならなかった。
１４．便座シート上に着座した際、Ｈ状切り残しが臀部に押されて更に開かれるため、排      泄物が便座シートに付着し難くなった。
１５．Ｈ状切り残しが、着座しても便座内側に垂れ下がるため、排泄で水が跳ねても便座      シートが臀部を保護し、跳ねた水が臀部に付く事が少なくなった。
１６．利用後、便座シートに付着した排泄物を見なくて良くなったため、快適に後始末を      終わらせて、排泄を終了することができた。【００２４】  請求項２記載の構成により、次の効果が得られた。
１．  Ｈ状切り残しが既存便座機能の障害にならない様に、機能障害となる部分を切り取      って提供されているため、既存便座が提供する既存機能を利用しても、既存機能に      よる障害が発生せず、快適に既存機能を利用できた。
２．  便座シートを広げる際、便座シートを設置する際に、便座シートの前後方向と表裏      が判別できるため、排泄してから便座機能を利用して、便座シートが臀郎に張付く      などして、嫌な思いをしなくなった。
３．  どの便所でも、便座シートを同じ状態に設置すればよく、便座シートが利用し易く      なった。【００２５】  請求項３記載の構成により、次の効果が得られた。
１．  折り畳まれた便座シートを広げた際に、便座シートに付加された消臭剤、芳香剤な      どが効果を表し、便所環境を改善できた。
２．  便座上に便座シートを置いた際、便座シートが除菌、殺菌効果などを表し、便所環      境を改善できた。
３．  便座シートを廃棄した際に、便座内に洗浄剤を供給し、除菌、殺菌し、消臭を行い      、芳香を残すなどの効果が得られるため、次の便所利用者に対して、より快適な利      用環境を引渡せた。
４．  便座シートは梱包できるため、消臭剤、芳香剤、除菌剤、殺菌剤、洗浄剤などが付      加されても、短期的に効果がなくなる事はなく、長期的に効果を維持できた。
５．  便座シートの梱包は１枚ごとでも良く、複数枚でも良いため、利用形態に合わせて      提供できた。
６．  色々な薬剤を用いて商品に特徴を持たせ、商品化することができるため、商品の種      類を増やせた。
７．  異なる芳香剤などを含ませたものを混在させて提供するなど、便座シート利用者に      対して、新たな楽しみを提供できた。【００２６】  請求項４記載の構成により、次の効果が得られた。
１．  便座シートを長手方向に連続的に折り、ミシン目などで個々に切り取れる状態にし      て、ロール状に巻き取り、ロール状便座シートとして提供できた。
２．  ロール状便座シートに芳香剤などを含ませて提供する場合、ロール状便座シートを      個々に密閉梱包しておくことにより、芳香剤などの効果を利用開始まで維持できた      。
３．  芳香剤などは、ロール状便座シートの内側に存在し、ロール状便座シートを広げる      ことで新しい面が広がるため、数日程度の利用期間であれば、特殊なケースに収納      しなくとも効果を提供できた。
４．  着座面が便座シートの内側に折込まれているため、表面に埃などの異物が付着して      も、問題にならなくなった。
５．  個人で利用する際には、外出先で利用する便座シートをロール状便座シートからビ      ニール袋などに取り分けて携帯し、外出先のどの洋式便所でも利用できた。【００２７】  請求項５記載の構成により、次の効果が得られた。
１．  便座シートを長手方向ばかりでなく、横方向にも折ることができ、便所内に置いて      も邪魔にならない大きさの便座シート収納箱に収められた。
２．  便座シート収納箱は、利用開始まで密閉状態とし、利用開始後も密閉状態に順ずる      状態にすることができるため、長期間に渡って芳香剤などの機能を維持できた。
３．  便座シート収納箱には、複数枚の便座シートを収納できた。
４．  個人で利用する際には、外出先で利用する便座シートを便座シート収納箱からビニ      ール袋などに取り分けて携帯し、外出先でも利用できた。【００２８】  請求項６記載の構成により、次の効果が得られた。
１．  便座シートを長手方向ばかりでなく、横方向にも折ることができ、携帯可能な大き      さに折り、携帯可能な様に梱包して携帯便座シートにできた。
２．  携帯便座シートは、鞄などに入れて所持することができるため、常時携帯できた。
３．  携帯便座シートの梱包は、便座シート１枚でも良く、複数枚でも良いため、利用目      的に合わせて梱包形態を選択できた。
４．  携帯便座シートの梱包は、簡易梱包でも良く、密閉梱包でも良いため、利用目的に      合わせて梱包形態を選択できた。
５．  第三者に便座シートを提供する際には、個別梱包品を提供することで、利用者自身      が開封して利用できるため、更に衛生的に提供できた。【００２９】  請求項７記載の構成により、次の効果が得られた。
１．  街中で無料配布されている携帯ティシュペーパーなどに置き換わる宣伝媒体として      利用して、携帯便座シートが配布できた。
２．  携帯便座シートを店舗内便所に配置して、その場で利用させるとともに、宣伝媒体      として自由に持ち帰らせられた。
【発明を実施するための最良の形態】
【００３０】  本発明を既存便座に配置し、利用状態とした実施例を図１に示す。
便座シートは、どの便所でも同じ向きに広げればよく、便座上に配置される。
この状態でＨ状切り残し部分は、便座内に飛び出して開いている。
便座の利用はこのまま着座すれば良く、便座シートが便座の既存機能の障害にならない様に加工されているため、便座の既存機能もそのまま利用することができ、利用後には便座シートを便座内に廃棄し、排泄物と合わせて水で流して処分することができる。【００３１】  本発明の便座シートは、利用後に排泄物と合わせて便器に流せる素材を利用する条件はあるものの、便座シートには１種類の素材しか必要とせず、平面構造の素材をＨ状にカットして折込んだものであるため、携帯用ティッシュペーパーの生産工程に近く生産でき、大量生産することができる。【００３２】  使用素材は、一般的な再生紙の利用は当然だが、一般的な概念の紙、トイレットペーパーなどでなくとも良く、下水処理場で処理でき、下水管を詰まらせなければ、何でも便座シートに利用することができる。
下水処理場で処理することを前提とした場合、便座シート利用素材は有機素材であることが望ましいが、木材の幹、枝から求められた繊維を利用しなければならない必然性はなく、葉、草、野菜、海草、苔類などから必要な繊維成分などを得て、紙と類似のものを製作し便座シートとして利用することができ、オブラートなどの様に繊維素材を利用しないものであっても、問題ないことは言うまでもない。【００３３】  便座シートに紙を利用する場合、紙繊維を結合する糊成分などを弱くして変形する、表面加工部分が変形するなどの機能を与え、便座シートに着座しても、便座シートが破れない強度、構造とする必要がある。
例えば、細かく型押し加工されたキッチンペーパーなどの素材を利用すれば、便座上に置いた便座シートに利用者が着座して便座シートが便座に押されても、臀部に押された便座シートは便座着座面形状に変形することができ、便座シート提供時の形状が便座の着座面と同じでなくとも、便座シートが破けて便座が利用者の臀部などに接触することを防止することができる。
なお、水溶性を備えた紙は、一般的に紙繊維の結合性が弱く作られており、粗悪な用紙、特殊な用紙を選択しない限り、求められる機能を発揮できる可能性があるが、便座シートとして利用する際には確認されなければならない機能である。【００３４】  便座シートは、既存のトイレットペーパー、キッチンペーパーなどの素材が利用でき、これらの素材に利用されている、透かし模様、型押し、シワ加工などの技術を、そのまま利用することができる。【００３５】  便座シートは、便器内に流せる様に水溶性が維持されればよく、利用する用紙厚さには制限がない。
例えば、キッチンペーパーなどの様に厚くし、着座時の肌触りを柔らかくするとともに、ヒーター機能がない便座に冬に着座した際の、冷たさをなくすことができる。
利用素材をより薄くして、携帯用ティッシュペーパーなどの大きさに拘らず、海外旅行などにおいても利用し易い形状で提供し、さらに利用範囲を広めることができる。
利用素材をより薄くするなどで、廃棄物の量を減らすことができ、廃棄の際の水量が少なくて済むため、電車、航空機などの様な、閉じられた環境内でも利用することができる。【００３６】  図２に便座シートの実施例を示す。
図では、形状の異なる便座を２種類重ねて記載しているが、汎用的な例を示すためのものである。
なお、Ｈ状をベースにして、図３に示す様にＨを向かい合わせて切る、図４に示す様にＨの中心線部分を更に外側に切ることなど、切り込み形状を様々に変化させることができるが、これらのものを含めて、本発明ではＨ状の切り込みとしている。【００３７】  便座シートは、便座の外形寸法に対して、ゆとりを持った大きさの寸法で提供されなければならない。
ゆとりの幅は特定する必要がないため、ここに記載しないが、広げた際に着座の障害になる大きさでなく、普通に広げられる大きさがあれば、機能を提供し得る幅である。【００３８】  図２の実施例では、便座シート外形の前方角部分が、切り取られている。
この効果により、便座シート前後の形状が異なるため、便座シートを広げる過程であっても、便座シートを設置する方向を識別することができ、便座に設置し易い状態で広げることができる。
さらに、広げた便座シートの前後を間違えずに、便座上に配置することができる。
便座シートの外形は、四角、台形、楕円、キャラクタ−イメージなど、様々な外形形状にすることができるが、その全てを記載できないため、ここでは省略した。
なお、便座シートを広げることで、Ｈ状切り残し部分が便座側に飛び出すため、一般的便座に便座シートを利用する際には、飛び出したＨ状切り残し部分を便座穴に合わせることになり、便座シートを利用する際の表裏は特定されて着座面になるため、便座シートの加工を表裏に分けて実施することができ、製造コストを下げることができた。
便座シートの機能を確保するためには、Ｈ状切り残しを折る必要があり、着座面が内側にくる様に折られるため、折り込んだ状態であれば、表面に埃などが付着しても着座面に付着し難く、問題にならなくなった。【００３９】  便座シートには、一般的な便座の穴部分に合わせてＨ状の切り込み加工がされる。
便座シートのＨ状切り残し部分が折れ曲がった際に、便座内の水に触らない様にＨ状切り残し部分の折れ曲がった状態の長さは切り詰められているため、Ｈ状切り残し部分が便座内の水に触ることはない。
便座シートのＨ状切り残し部分の先端は、便座の穴部分に合わせ易くするため、および、便座の既存機能の障害にならない様に、斜めに切り取られており、Ｈ状切り残し部分を容易に便座穴にあわせられる。
また、便座シートのＨ状切り残し部分の周辺側は、斜めに切り取らず幅が広いため、便座シートＨ状切り残し部分が便座穴に入った際に、便座シートが移動し難くしている。【００４０】  便座シートを広げることにより、便座シートのＨ状に切り残された部分は、便座シートに授けられた折り目により便座側に折り曲げようとする力と、折り目の影響を受けずに平坦を維持しようとする力のバランスで、自然に引き起こされ飛び出した状態になる。
なお、便座シートの折り込みは、図２などでは並行状態で示しているが、機能を構成するために、並行に折る必然性はなく、斜めに折ることもできる。
Ｈ状切り込みが前後とも折り目より狭く離れている場合、便座シートを広げても折り込みの影響が得られ難くなるため、Ｈ状の切り残しは便座をふさぐ状態になり、本発明で求める効果がなくなり、Ｈ状の切り込みが前後とも折り目より広い場合、便座シートを広げても平坦を維持しようとする力の影響がなく、Ｈ状の切り残しは折られた状態を維持し、便座上にそのまま乗る状態になり、本発明で求める効果がなくなる。
便座シートを開いた時の、Ｈ状の切り残し部分の立ち上がり角度は、折り込みの位置により調整できるので、通常に開いた状態で便座穴に勘合し易い様にして、便座シートを提供することができる。
なお、折り目を利用して、他の部分に同様の効果を与えることもできる。【００４１】  Ｈ状切り残し部分の先端は、狭くなる様に切られており、便座穴よりも狭い幅で引き起こされるため、便座シートを広げた状態であれば、便座穴に容易に合わせこむことができる。
便座シートを便座上に設置した後に意図的にずらさない限り、便座シートが便座からずれ落ちることはなく、便座シートを便座上に設置してから手を離してもそのまま着座することができる。【００４２】  一般的な便座の着座部分はすり鉢構造で有るとともに、便座シート便座穴部分はＨ状に切り込まれており、便座シート上に利用者が着座した場合、便座シートは利用者の太腿、臀部で便座側に押し付けられて設置位置が固定されるとともに、Ｈ状切り残し部分は更に臀部、太腿で押されて開いた状態が確保される。
その結果、便座シートＨ状切り残しと利用者排泄物通過部分に十分な逃げ幅が確保され、一般的な排泄状態であれば、便座シートに排泄物が直接付くことはなく、便座シートに排泄物があたってしずくが飛び散り、不快な思いをすることがなくなった。
また、排泄物が便器内の水に落ちてしずくが飛び散った場合、その全てではないが、便座内に垂れ下がった便座シートがしずくを押さえ、利用者の臀部などの汚れを防止することができる様になった。
Ｈ状切り残しに排泄物が付着しなくなったため、既存便座シートにある様に、便座シート廃棄時に、便座シートに付着した自分自身の排泄物を見せられることがなくなり、快適に後始末ができる様になった。【００４３】  図５は、図２に示した実施例を、ミシン目で接続した実施例である。
便座シートをこの様な構造にすることで、便座シートを芯材に巻き取ってトイレットペーパー状にして、ロール状便座シートとして提供することができる。
ロール状便座シートを提供する際に、芳香剤などの発散し易い薬剤を含む場合は、ロール状便座シートを個別に気密梱包して提供すれば、長期的に芳香剤などの機能を維持して提供することができる。
便座シートに発散性の薬剤を利用しない場合は、ロール状便座シートが広がることを防止できればよく、個別梱包も簡易でよいため、紙、紙テープなどで押さえて梱包状態とする、外周部のロール状便座シートを梱包材と兼ねて糊付けして梱包状態とするなどの提供ができる。
ロール状便座シート利用状態において、ロール状便座シートをケースなどに入れなくとも、芳香剤などはロール状便座シートの内側に存在し、ロール状便座シートを広げることで新しい面が広がるため、数日程度の利用期間であれば効果を提供することができる。
ロール状便座シート利用状態において、むき出し状態になったロール状便座シートの芳香剤などの発散が早すぎる場合には、図は省略するがロール状便座シートをプラスチックケースなどに収納し、引き出しながら使える様にすることができる。
個人で利用する際には、この様にして提供された便座シートをビニール袋などに小分けして携帯することができるため、便座シートを安く利用することができる。【００４４】  図６は、図２に示した実施例を、更に小さく折り込める様にした実施例である。
図２に示した折り目はそのまま確保し、折り目間を逆の折り方で折り、幅を狭くした。
この様に折り目を混在させることで、便座シートを広げても、本発明で求める機能は維持、確保され、問題となることはない。【００４５】  図７は、図６により折られた便座シートを、更に横方向におり、便座シート収納箱に収納する、または、個別梱包して携帯できる大きさに折り畳んだ実施例である。
山折り、谷折りの手順を変えることで、図７のａ）およびｂ）に示した様に折る事ができる。
どちらでも利用できるが、図７−ａに示した様に折った方が、Ｈ部分に発生する折込みが緩くなるため、便座シートを開く際に開きやすい構造となる。
折り方を変えることで、自由な大きさにすることができることは、言うまでもない。
便座シートを、この様にして小さく折り畳んでも、便座シートを広げれば、本発明で求める機能は維持、確保されており、問題となることはない。
また、この様に小さく折り畳んだ状態であっても、外周部の斜め切り取り部分が確認できる様に折り込むことができるため、便座シートを開く課程で便座シートを持つ方向を定めることができ、円滑に便座シートを便座上に置くことができる。【００４６】  図は省略するが、便座シートを折り畳むことで、トイレ内の壁面などに配置しても邪魔にならない大きさの便座シート収納箱に、便座シートを収納して提供することができる。
便座シート収納箱は、便座シート供給までの期間、気密構造とすることができる。
更に、利用開始後であっても、蓋構造を付加することができ、ローラ状に巻き取って提供する場合よりも収納環境の気密性を確保でき、芳香剤、消臭剤などの薬剤の発散性が高くても、利用開始から長期間、機能を維持することができる。
便座シート収納箱の大きさは自由なため、便座シートを何枚でも収納させることができる。
また、携帯可能な様に個別梱包した便座シートと比較して、安く製造し提供することができるため、一枚ずつ分けられた便座シートを、家庭などの限られた便所環境に提供する目的であれば、有効な提供手段となる。
個人で利用する際には、この様にして提供された便座シートをビニール袋などに小分けして携帯することができるため、便座シートを安く利用することができる。【００４７】  便座シートを携帯できる状態に梱包して、利用者に提供する際の実施例を図８および図９に示す。
携帯用便座シートは、カバン、ポケットなどに入れて、自由に持ち歩ける外形形状で提供することができるため、利用者は、常時携帯することができる。
携帯用便座シートは、個人が利用するものであるため、利用目的に合わせて、１枚から梱包として提供することができる。
梱包材は、紙、ビニール、ゴミ袋などに利用されている焼却処理可能なポリエチレン樹脂、セロファン、アルミニュームなど、様々なものが利用できる。
便座シート梱包材に気密性が求められない場合は、利用素材に制限はないが、一般ゴミとして焼却処分が可能であり、紙類などと一緒に処分できる素材を利用することが望ましいが、利用目的にあわせれば良い。
便座シート梱包材に気密性が求められる場合は、気密性などを維持しながらも、一般ゴミとして焼却処理することができ、紙類などと一緒に処分できる素材を選択して利用することで、どこにでも廃棄することができて便利であり望ましいが、利用目的にあわせれば良い。
便座シート梱包材が、一般ゴミとして処分できるものであれば、生理用品などと一緒に便所内で廃棄されても、分別せずに廃棄することができる。
利用素材を特定する必然性はないが、便座シート梱包材に水溶性が確保され、下水処理場などでの処理が可能であれば、便座シートなどと一緒に便座内に廃棄できるため、利便性を更に増すことができる。
例えば、便座シートに洗浄剤などを含ませ様とした場合、便座シートそのものでの供給は実施せずに、便座シート梱包材に洗浄剤などを含ませて提供することができ、利用者の臀部、太腿などに洗浄剤などが付着する可能性がなくなる。
さらに、便座シート梱包材が水溶性であることで、便座シート梱包材廃棄用設備を便所内に設置しなくて良いことは言うまでもない。【００４８】  図８の実施例は、利用者が梱包材のミシン目を引き裂き、便座シートを取り出して利用するものである。
携帯用便座シート提供から、限られた期間内に利用されることを前提とした場合、便座シートに芳香剤などを付加したとしても、便座シート梱包材に完全な気密性を維持する必然性はなく、この様な簡易構造にすることで安価に提供することができる。
ティシュペーパーの代わりに便座シートを利用する際などに、便利な梱包手段である。
図は省略したが、個別梱包したものをまとめて気密梱包すれば、長期的に芳香剤などの機能は維持できるため、ティシュペーパーの代わりに配布前に開封し、チラシなどを入れて配布すれば、利用者が受け取って普通に利用すれば、便座シートの全ての機能は効果を示すことができる。
便座シートは密閉環境にあり、利用者自身が開封して利用するものであるため、第三者に渡しても、衛生的に、安心して利用することができる。
もし、長期的に放置されて全ての付加薬剤が発散しても、便座シートとして着座時に便座と利用者の肌が触ることを防止する機能と、利用後に排泄物と合わせて水流に流せる機能は有効なため、基本的機能障害になるものではない。【００４９】  図９の実施例は、携帯便座シートの梱包を密閉構造として、梱包材周辺部分にＶカット、切り込みなどを行い、利用者が工具を使わずに手で引き裂ける様にして、便座シートを取りだせる様にしたものである。
この様な構造は、長期的に芳香剤などの機能を維持して提供することができるため、個人が店舗で便座シートを購入して、自分のために携帯することを目的とした便座シートなどに適用し得るものである。
便座シートは密閉環境にあり、利用者自身が開封して利用するものであるため、第三者に渡しても、衛生的に、安心して利用することができる。
便座シートは梱包材により密閉梱包されているため、便座シートに消臭剤、芳香剤、除菌剤、殺菌剤、洗浄剤などが付加されていても、長期に渡って付加された機能を維持することができ、便座シート利用時に付加機能を提供することができる。【００５０】  携帯便座シートに、広告宣伝を付加した実施例の図は省略する。
広告、宣伝を伝える手段は、梱包材に対する直接印刷、チラシなどの便座シートへの同梱、梱包材に対するチラシなどの挟み込みなど様々な手段があり、特定するものではない。
この様にして準備された便座シートは、街中で無料配布されている携帯ティシュペーパーなどに置き換わる宣伝媒体として利用でき、配布することができる。
一例ではあるが、広告宣伝用に準備する携帯用便座シートの量により、次の様に梱包手段を使い分けることができる。
１．  広告宣伝用に大規模に用意する場合は、梱包材そのものに印刷を行い、印刷した梱      包材を利用して携帯便座シートとすることで、経費を安く抑えることができる。
２．  広告宣伝用に中規模に用意する場合は、携帯用便座シートを梱包する際にチラシな      どを同一梱包することで、チラシを手差しする手間と経費を抑えることができる。
３．  広告宣伝用に小規模に用意する場合は、事前にチラシを収納できる様に袋構造を付      加して製造された携帯用便座シートに、チラシなどを挟み込んで利用できる。【００５１】  店舗内で便座シートを提供する場合、ロール状便座シートで提供することもできるが、携帯用便座シートに店舗名などの広告宣伝を付加し、その場で利用できる様に提供するとともに、利用者が持ち帰り利用できる様に提供することができる。
便所の換気は通常に実施しておき、様々な芳香を付加した携帯便座シートを混在させておき、利用時にどの香りになるかを楽しんでもらうことができる。
ロール状便座シートを提供した場合、ロール状便座シートの一部に前の利用者が触っている可能性があるため、店舗内でも携帯便座シートを提供することにより、清潔感を求める利用者に衛生的な感覚を増すことができ、利用者の店舗に対する感覚を良くすることができる。【００５２】  便座シートは、折り畳まれた状態から広げて利用される。
便座シートを広げた際に、芳香剤、消臭剤などが本来の効果を現し、便所内の悪臭などを削減することができる。
梱包形態、または収納形態が気密状態に近くなければならないが、芳香剤、消臭剤などが速乾性のものであれば、便座シートを広げて着座するまでの時間で乾燥させることができ、芳香、消臭効果を増すこともでき、便座シートが濡れていることで、便座シート着座時に不快感を与えることがない。【００５３】  芳香剤は、利用者の好みに合わせて、様々なもので提供することができる。
何種類かの芳香剤を付加したものを混在させておき、便座シートを開けることで香りを楽しむこともできる。
芳香剤をまったく付加せず、消臭剤により無臭環境に近づけることも、携帯便座シート提供形態の１つのあり方である。
次の利用者のためにより、より快適な利用環境を引渡すことは、社会人としてのエチケットであり、携帯便座シートの普及とともに、一般化するものと考えられる。【００５４】  便座上に便座シートを置くことにより、便座シートに付加された除菌剤、殺菌剤などが効果を現し、便座上の除菌、殺菌をする。
全ての便座シートに、除菌剤、殺菌剤などの薬剤が付加されなければならない必然性はなく、利用者の好みで選択されるべきものである。【００５５】  洗浄剤などは、便座シートが水に触れた時から有効になれば良く、水で濡れたことで効果を現す状態で提供することができる。
便座シートに付加された洗浄剤は、利用者の排泄により汚れた便器内を洗浄され易くするとともに、次以降の利用者の排泄物が便器に付き難くするものであるが、全ての便座シートに、洗浄剤などの薬剤が付加されなければならない必然性はなく、利用者の好みで選択されるべきものである。
便座シートＨ状切り残し部分の効果で、便座シートの裏表を反転して利用することがなく、便座シートの表裏にあわせて付加する薬剤を塗り分けて提供することができ、利用者の肌障害などの発生を抑えることができる。【００５６】  便座シートにＨ状の切り残し部分があるため、便座シートをずらして置いたとしても、臀部が便座に付かない状態が確保されている。
便座シートにＨ状の切り残し部分は、着座により臀部などで便器の内側に押され開かれるため、排泄の障害になることはなく、排泄物により便器内の水が跳ねた場合にその跳ね水を止め、利用者の臀部の汚れを防止することができる。
便座シートのＨ状切り残し部分が有効に働き、様々な便座において、便座シートを利用することができる。【００５７】  利用者の排泄が終わり、ウォシュレットなどの便座機能を利用する際には、便座シートが障害とならない様に切り取られているため、そのまま利用することができる。
万が一、便座シートが便座機能の障害となり、便座シートが利用者の臀部などに触ることがあっても、便座シートに利用者の排泄物が付着し難い状態で提供されているため、利用者の臀部が汚れる可能性が少なくなった。
なお、図３の便座シートの切り込み形状は、一例を示したものであり、様々な形に変えることができる。
また、最近の便座穴は幅が広く開けられる傾向にあるなど変化しており、便座穴の状態は一定の寸法に定義できるものではなく、その穴に、便座シートの切り込みを完全に適合させることは不可能であり、着座時の臀部汚濁を防止する目的を達成するためには、便座穴に合わせて穴を開ける必然性はなく、排泄の障害にならない様に穴を開ければよいものである。【００５８】  便座の付加機能も、様々に変化してきているため、最適な切り込み形状は変化することが考えられる。
現状において提供される便座シートは、既存便座に付加された機能を調査し、その機能の動作障害にならないものである。
便座提供期間は非常に長く、様々なものが混在提供されており、特定の便座にあわせて切り込みを入れ、利用できる状態で提供することは、汎用性がなくなり好ましくない。
現在は便座シートの普及が殆どなく、便座メーカーも様々な発想で機能を考えているが、今後、便座シートが普及することにより、便座メーカーも便座シートの存在を意識して製品開発を行い、新たな障害が発生することがないことを期待したいが、新たな障害が発生した際には、順次切り込み形状を変え、汎用性を高めて行くことが考えられる。
新しい切り込みを考慮する際に、利用者が提供環境を容認する必要があり、極端な例ではあるが、排泄の障害にならない範囲で便座穴より小さな穴として、Ｈ状切り込みを提供することも可能である。【００５９】  便座シートは、トイレットペーパーの様な水溶性素材で供給される。
便座の利用が終わり、利用者が立ち上がっても、便座シートは便座上に残留しているが、トイレットペーパーと同様の水溶性素材であるため、便器内に廃棄することができる。
使用済み便座シートは、排泄物などと一緒に廃棄されるが、その際に消臭剤、芳香剤、殺菌剤、洗浄剤などが最後の効果を現し、便所内の悪臭を削減するとともに、便器内も衛生的に保ち、次の利用者に便座環境を引渡すことができる。【００６０】  便所に入りトイレットペーパーが切れていた場合、便座シートをトイレットペーパーの代わりに使用することができるため、拭くものがなく困った際には、便座シートをトイレットペーパーの代わりに利用することができる。
便座に着座する前に、便座シートで便座を拭き、便座衛生環境を高めることができ、さらに、新しい便座シートを利用して、より衛生的な便座環境にすることができる。
【図面の簡単な説明】
【００６１】
【図１】本発明を既存の便座に設置し、利用状態にした例を示す斜視図である。
【図２】本発明の便座シートの加工例を示す図である。
【図３】本発明の便座シートの加工例を示す図である。
【図４】本発明の便座シートの加工例を示す図である。
【図５】本発明の便座シートを容易に切り離せる状態で繋ぎ、提供した例を示す図である。
【図６】本発明の便座シートを、さらに狭く折った例を示す図である。
【図７】本発明の便座シートを、さらに小さく折った例を示す図である。
【図８】本発明の便座シートを、ミシン目により開放可能にした例を示す斜視図である。
【図９】本発明の便座シートを、密閉構造とし開放可能にした例を示す斜視図である。
【符号の説明】
【００６２】  １      便座
２      便座シート
３      便座シート梱包材
【図１】
2007175455.tif 000003
【図２】
2007175455.tif 000004
【図３】
2007175455.tif 000005
【図４】
2007175455.tif 000006
【図５】
2007175455.tif 000007
【図６】
2007175455.tif 000008
【図７】
2007175455.tif 000009
【図８】
2007175455.tif 000010
【図９】
2007175455.tif 000011